(57)【要約】【課題】ドラム・メモリの発生を防止する。【解決手段】ドラムの耐久枚数に応じて、補助再帯電の領域、電流値を変える。【選択図】　　　　図１
2004013023.tif 000002
【特許請求の範囲】
【請求項１】
移動可能な像担持体と、前記像担持体を帯電させるための第一の帯電手段と、前記帯電した像担持体を露光するための露光手段と、前記露光により像担持体上に形成された静電潜像を可視像にするための現像手段と、転写位置において前記像担持体から記録材に前記可視像を転写する転写手段と、前記像担持体の前記転写手段により転写を行われた領域を再帯電するための第二の帯電手段と、を有する画像形成装置において、
前記像担持体の疲労に応じて前記第二の帯電手段を制御することを特徴とする画像形成装置。
【請求項２】
前記像担持体の疲労は像担持体の回転数（画像形成工程の回数）であることを特徴とする請求項１記載の画像形成装置。
【請求項３】
前記第二の帯電手段はＤＣを印加することを特徴とする請求項１記載の画像形成装置。
【請求項４】
前記第二の帯電手段はＤＣにＡＣを重畳して印加することを特徴とする請求項１記載の画像形成装置。
【発明の詳細な説明】
【０００１】
【発明の属する技術分野】
本発明は像担持体上に形成された可視像を記録材に転写して画像形成を行う電子写真方式や静電記録方式などの複写機、プリンタ等の画像形成装置に関するものである。
【０００２】
【従来の技術】
従来の一実施例である画像形成装置について添付図面を参照して詳細に説明する。
【０００３】
図２にフルカラー画像形成装置の一例を示す。
【０００４】
本例は、上部にデジタルカラー画像リーダ部、下部にデジタルカラー画像プリンタ部を有する。
【０００５】
図２において、コピー・キー（不図示）が押されると、リーダ部において、原稿台ガラス３１上に載せた原稿３０を、露光ランプ３２により露光走査することにより、原稿３０からの反射光像を、フルカラーセンサ３４に集光し、カラー色分解画像信号を得る。カラー色分解画像信号は、増幅回路（不図示）を経て、ビデオ処理ユニット（不図示）にて処理を施され、プリンタ部に送出される。
【０００６】
プリンタ部において、像担持体である、負帯電極性の有機光導電層を有する該当感光ドラム１は矢印方向に回転自在に担持され、感光ドラム１の周りに前露光ランプ１１、帯電手段としてのコロナ帯電器２、レーザ露光光学系３、表面電位センサ１２、色の異なる４個の現像器４ｙ、４ｃ、４ｍ、４ｂｋ、感光ドラム上光量検知手段１３、転写装置５、クリーニング装置６が配置される。
【０００７】
レーザ露光光学系３において、リーダ部からの画像信号は、レーザ出力部（不図示）にてイメージスキャン露光の光信号に変換され、変換されたレーザ光がポリゴンミラー３ａで反射され、レンズ３ｂ及びミラー３ｃを通って、感光ドラム１の面に投影される。
【０００８】
プリンタ部では画像形成時、感光ドラム１を矢印方向に回転させ、補助帯電器５０によりマイナスに帯電させ、前露光ランプ１１で除電した後の感光ドラム１を一次帯電器２によりマイナスに一様に帯電させて、各分解色毎に光像Ｅを照射し、潜像を形成する。ここで、補助帯電器５０は第一の目的として、感光ドラム電位安定化回転のために、一次帯電器２よりも先に帯電させ、第二の目的として転写による紙コバ（紙横側）・紙後端メモリ防止のために、転写を受けた領域全体の帯電を行っている。
【０００９】
次に、所定の現像器を動作させて、感光ドラム１上の潜像を現像し、感光ドラム１上に樹脂を基本とした負に帯電されたトナー像を形成する。現像器は、偏心カム２４ｙ、２４ｃ、２４ｍ、２４ｂｋの動作により、各分解色に応じて択一的に感光ドラム１に接近するようにしている。
【００１０】
更に、感光ドラム１上のトナー像を記録材カセット７より搬送系及び転写装置を介して感光ドラム１と対向した位置に供給された記録材に転写する。転写装置５は、本例では記録材担持体としての転写ドラム５ａ、転写手段としての転写ブラシ帯電器５ｂ、記録材を静電吸着させるための吸着ブラシ帯電器５ｃと対向する吸着ローラ５ｇ、内側帯電器５ｄ、外側帯電器５ｅ、転写剥がれセンサ５ｈとを有し、回転駆動されるように軸支された転写ドラム５ａの周面開口域には誘電体から成る記録材担持シート５ｆを円筒状に一体的に張設している。記録材担持シート５ｆはポリカーボネート等の誘電体シートを使用している。
【００１１】
ドラム状とされる転写装置、つまり転写ドラム５ａを回転させるに従って感光ドラム上のトナー像は、転写ブラシ帯電器５ｂにより記録材担持シート５ｆに担持された記録材上に転写される。こうして記録材に所望数の色のトナー像の転写をし終えると、記録材を転写ドラム５ａから分離爪８ａ、分離押し上げコロ８ｂ及び分離帯電器５ｈの作用によって分離し、熱ローラ定着器９を介してトレイ１０に排紙され、フルカラー画像として供される。
【００１２】
他方、転写後感光ドラム１は、表面の残留トナーをクリーニングブレード６ａとスクイシートからなるクリーニング装置６で清掃した後、再度画像形成工程に供される。
【００１３】
又、転写ドラム５ａの記録材担持シート５ｆ上の粉体の飛散付着、記録材上のオイルの付着等を防止するために、ファーブラシ１４と記録材担持シート５ｆを介してファーブラシ１４に対向するバックアップブラシ１５の作用により清掃を行う。このような清掃は画像形成前もしくは後に行い、ジャム（紙詰まり）発生時には随時行う。
【００１４】
【発明が解決しようとする課題】
しかしながら、上記従来例では図３に示すタイミング・チャートのように、記録材の搬送方向後端部のみで補助帯電器５０を動作させているため、感光ドラムの耐久枚数（回転数）が増大するに従って、感光ドラム表面に付着している放電生成物の蓄積、感光ドラムの感度変化により、画像形成において、図４に示す如く、前の画像形成時の転写によるメモリが記録材の抵抗分布図（図４（ａ））に対応して発生する（図４（ｂ））という問題がある。すなわち、Ｙ、Ｍ、Ｃ、Ｂｋと順次画像形成していくと、初期はメモリが発生しないが、Ａ４サイズ、横送り、１枚間欠で１０Ｋ枚後にはＹ転写時のメモリがコロナ帯電器２で除去しきれず、Ｍの画像形成時にその履歴が現れる。さらにこれは徐々に悪化する傾向にあり、耐久枚数が１５Ｋ後でＭ転写時のメモリがＣの画像形成時に、２０Ｋ枚後でＣ転写時のメモリがＢｋの画像形成時に、すべての色で同一箇所に発生する。
【００１５】
【課題を解決するための手段】
本発明によれば、移動可能な像担持体と、前記像担持体を帯電させるための第一の帯電手段と、前記帯電した像担持体を露光するための露光手段と、前記露光により像担持体上に形成された静電潜像を可視像にするための現像手段と、転写位置において前記像担持体から記録材に前記可視像を転写する転写手段と、前記像担持体の前記転写手段により転写を行われた領域を再帯電するための第二の帯電手段と、を有する画像形成装置において、
前記像担持体の回転数や画像形成工程の回数といった疲労に応じて、第二の帯電手段を制御することでドラム・メモリが生じないようにしたものである。
【００１６】
【発明の実施の形態】
（実施例１）
以下、本発明の実施例について添付図面を参照して詳細に説明する。
【００１７】
本発明が適用できる画像形成装置は、例えば感光体、誘電体等の像担持体上に電子写真方式、静電記録方式等によって画像情報信号に対応した潜像を形成し、この潜像を現像して可視画像（トナー像）を形成し、この可視画像を紙等の転写材に転写し、定着手段にて永久像にする構成のものであればよい。
【００１８】
まず、図２を参照して本発明による画像形成装置の一実施例の全体構成について説明する。本実施例では本発明を電子写真方式のデジタル複写機に適用した場合を示すが、本発明が電子写真方式や静電記録方式の他の種々の画像形成装置に等しく適用できることは言うまでもない。
【００１９】
図２において、コピー・キー（不図示）が押されると、リーダ部において、原稿台ガラス３１上に載せた原稿３０を、露光ランプ３２により露光走査することにより、原稿３０からの反射光像を、フルカラーセンサ３４に集光し、カラー色分解画像信号を得る。カラー色分解画像信号は、増幅回路（不図示）を経て、ビデオ処理ユニット（不図示）にて処理を施され、プリンタ部に送出される。この時、記録材のサイズ、搬送方向、種類も同時にプリンタ部に送出される。
【００２０】
レーザ露光光学系３において、リーダ部からの画像信号は、レーザ出力部（不図示）にてイメージスキャン露光の光信号に変換され、変換されたレーザ光がポリゴンミラー３ａで反射され、レンズ３ｂ及びミラー３ｃを通って、感光ドラム１の面に投影される。
【００２１】
プリンタ部では画像形成時、感光ドラム１を矢印方向に回転させ、補助帯電器５０によりマイナスに帯電させ、前露光ランプ１１で除電した後の感光ドラム１を一次帯電器２によりマイナスに一様に帯電させて、各分解色毎に光像Ｅを照射し、潜像を形成する。
【００２２】
次に、所定の現像器を動作させて、感光ドラム１上の潜像を現像し、感光ドラム１上に樹脂を基体とした負に帯電されたトナー像を形成する。現像器は、偏心カム２４ｙ、２４ｃ、２４ｍ、２４ｂｋの動作により、各分解色に応じて択一的に感光ドラム１に接近するようにしている。
【００２３】
更に、感光ドラム１上のトナー像を記録材カセット７より搬送系及び転写ドラム５ａを介して感光ドラム１と対向した位置に供給された記録材に転写する。この転写ドラム５ａを回転させるに従って感光ドラム上のトナー像は、転写ブラシ帯電器５ｂにより記録材担持シート５ｆに担持された記録材上に転写される。こうして記録材に所望数の色のトナー像の転写をし終えると、記録材を転写ドラム５ａから分離爪８ａ、分離押し上げコロ８ｂ及び分離帯電器５ｈの作用によって分離し、熱ローラ定着器９を介してトレイ１０に排紙され、フルカラー画像として供される。
【００２４】
次に、図１にフロー・チャートに従って、補助帯電の制御方法について示す。
【００２５】
まず、補助帯電制御装置をデフォルトの−２００μＡ（この値は環境によって変化させることも可）へ、制御方法を後端のみに設定し（Ｓ１０１）、現在までのカウント（感光ドラムの耐久枚数）が１０Ｋ枚以上かどうかを判別し（Ｓ１０２）、１０Ｋ枚以上であれば補助帯電領域をＹ転写後領域までに設定を変更し（Ｓ１０３）、カウントが１５Ｋ枚以上かどうかを判別し（Ｓ１０４）、１５Ｋ枚以上であれば補助帯電領域をＭ転写後領域までに設定を変更し（Ｓ１０５）、カウントが２０Ｋ枚以上かどうかを判別し（Ｓ１０６）、２０Ｋ枚以上であれば補助帯電領域をＣ転写後領域までに設定を変更し（Ｓ１０７）、カウントが２５Ｋ枚以上かどうかを判別し（Ｓ１０８）、２５Ｋ枚以上であれば補助帯電領域をＢｋ転写後領域までに設定を変更し（Ｓ１０９）、すべての条件が決定した上で画像形成を行う（Ｓ１１０、Ｓ１１１、Ｓ１１２）。
【００２６】
これにより、初期は図３、１０Ｋ枚以上は図５、１５Ｋ枚以上は図６、２０Ｋ枚以上は図７、２５Ｋ枚以上は図８のタイミング・チャートに従って補助帯電が制御され、耐久枚数が進んでも、メモリのできない画像を得ることができた。
【００２７】
ここでは、耐久枚数をカウンタとして制御したが、感光ドラムの帯電時間（回転数）、現像回数、転写回数等を用いても良い。
【００２８】
また、補助帯電器に印加する電源をＤＣ電源からＤＣ＋ＡＣ電源としても効果があった。
【００２９】
（実施例２）
以下、本発明の実施例について添付図面を参照して説明する。なお、実施例１と同様の部分の説明は省略する。
【００３０】
次に、図９にフロー・チャートに従って、補助帯電の制御方法について示す。
【００３１】
まず、補助帯電制御値をデフォルトの−１２０μＡ（この値は環境によって変化させることも可、また前回転時は−２００μＡ）へ、制御方法を後端のみに設定し（Ｓ２０１）、現在までのカウント（感光ドラムの耐久枚数）が１０Ｋ枚以上かどうかを判別し（Ｓ２０２）、１０Ｋ枚以上であれば補助帯電電流を−２００μＡに変更し（Ｓ２０３）、カウントが１５Ｋ枚以上かどうかを判別し（Ｓ２０４）、１５Ｋ枚以上であれば補助帯電電流を−２００μＡに変更し（Ｓ２０５）、カウントが２０Ｋ枚以上かどうかを判別し（Ｓ２０６）、２０Ｋ枚以上であれば補助帯電電流を−２００μＡに変更し（Ｓ２０７）、カウントが２５Ｋ枚以上かどうかを判別し（Ｓ２０８）、２５Ｋ枚以上であれば補助帯電電流を−２００μＡに変更し（Ｓ２０９）、すべての条件が決定した上で画像形成を行う（Ｓ２１０、Ｓ２１１、Ｓ２１２）。
【００３２】
これにより、初期から図８のタイミング・チャートに従って補助帯電が制御され、耐久枚数が進んでも、メモリのできない画像を得ることができた。
【００３３】
ここでは、耐久枚数をカウンタとして制御したが、感光ドラムの帯電時間（回転数）、現像回数、転写回数等を用いても良い。
【００３４】
また、補助帯電器に印加する電源をＤＣ電源からＤＣ＋ＡＣ電源としても効果があった。
【００３５】
【発明の効果】
以上説明したように、本発明によれば、移動可能な像担持体と、前記像担持体を帯電させるための第一の帯電手段と、前記帯電した像担持体を露光するための露光手段と、前記露光により像担持体上に形成された静電潜像を可視像にするための現像手段と、転写位置において前記像担持体から記録材に前記可視像を転写する転写手段と、前記像担持体の前記転写手段により転写を行われた領域を再帯電するための第二の帯電手段と、を有する画像形成装置において、
前記像担持体の回転数や画像形成工程の回数といった疲労に応じて前記第二の帯電手段を制御することで、ドラム・メモリを生じさせないことに効果がある。
【図面の簡単な説明】
【図１】本発明における補助帯電手段の制御フローチャートである。
【図２】従来の一実施例である画像形成装置の概略断面図である。
【図３】従来の一実施例での画像基準でのタイミング・チャートである。
【図４】従来例における問題点（メモリ）を示した図である。
【図５】本発明での画像基準でのタイミング・チャートである。
【図６】本発明での画像基準でのタイミング・チャートである。
【図７】本発明での画像基準でのタイミング・チャートである。
【図８】本発明での画像基準でのタイミング・チャートである。
【図９】本発明における補助帯電手段の制御フローチャートである。
【符号の説明】
１　感光ドラム
２　一次帯電器
３　レーザ露光光学系
４　現像器
５　転写ドラム
【図１】
2004013023.tif 000003
【図２】
2004013023.tif 000004
【図３】
2004013023.tif 000005
【図４】
2004013023.tif 000006
【図５】
2004013023.tif 000007
【図６】
2004013023.tif 000008
【図７】
2004013023.tif 000009
【図８】
2004013023.tif 000010
【図９】
2004013023.tif 000011